(57)【要約】【課題】可変容量型圧縮機における連結機構を構成するガイド部の軽量化を図る。【解決手段】斜板２０に形成された支持アーム２１にはピン２２が支持されている。ピン２２の一端部には被ガイド部２５が一体形成されており、ピン２２の他端部には被ガイド部２６が一体形成されている。斜板２０に対する回転支持体１９の対向面側にはガイドアーム２３，２４が一体形成されている。ガイドアーム２３は、被ガイド部２５を案内し、ガイドアーム２４は、被ガイド部２６を案内する。ガイドアーム２３は、第１ガイド壁２７と第２ガイド壁２８と第３ガイド壁２９とを備えており、第２ガイド部としてのガイドアーム２４は、第４ガイド壁３０と第５ガイド壁３１とを備えている。【選択図】図２
2007297920.tif 000002
【特許請求の範囲】
【請求項１】
ピストンが回転軸と一体的に回転するカム体を介して前記回転軸の回転に連動されており、前記カム体は、前記回転軸に固定された回転支持体に対して連結機構を介して傾角可変に連結されており、前記連結機構は、前記カム体と前記回転支持体との一方を支持部として該支持部に支持されたピンと、前記カム体と前記回転支持体との他方をピンガイドとして該ピンガイドに設けられた第１ガイド部及び第２ガイド部とを備え、前記第１ガイド部は、前記カム体の傾角の変化に応じて前記ピンの吸入行程対応領域側の第１端部を案内し、前記第２ガイド部は、前記カム体の傾角の変化に応じて前記ピンの吐出行程対応領域側の第２端部を案内し、前記カム体を収容する制御圧室の調圧によって前記カム体の傾角が変更されて吐出容量が制御される可変容量型圧縮機において、
前記第２端部は、周面を有し、前記第２ガイド部は、前記第２端部の周面のうちでは、前記ピンガイド側の部位のみに接触可能な形状に形成されている可変容量型圧縮機。
【請求項２】
前記第１端部は、周面及び端面を有し、前記第１ガイド部は、前記第１端部の周面の前記支持部側の部位に接触可能な第１ガイド壁と、前記第１端部の周面の前記ピンガイド側の部位に接触可能な第２ガイド壁と、前記第１端部の端面に接触可能な第３ガイド壁とを備え、
前記第２端部は、周面及び端面を有し、前記第２ガイド部は、前記第２端部の周面の前記ピンガイド側の部位に接触可能な第４ガイド壁と、前記第２端部の端面に接触可能な第５ガイド壁とを備えている請求項１に記載の可変容量型圧縮機。
【請求項３】
前記第５ガイド壁は、前記ピンの中心軸線に対して直交し、且つ前記第２端部の端面に接する接平面よりも、前記回転支持体の回転方向の前側にある請求項２に記載の可変容量型圧縮機。
【請求項４】
前記第５ガイド壁の高さは、前記第２端部の直径以下である請求項２及び請求項３のいずれか１項に記載の可変容量型圧縮機。
【請求項５】
前記第５ガイド壁の壁厚は、前記第１端部側の第３ガイド壁の壁厚よりも小さい請求項２乃至請求項４のいずれか１項に記載の可変容量型圧縮機。
【請求項６】
前記回転支持体にはバランスウェイトが設けられており、前記バランスウェイトは、前記吸入行程対応領域と前記吐出行程対応領域との境界に関して左右非対称の形状であり、前記吐出行程対応領域側の前記バランスウェイトの重量は、前記吸入行程対応領域側の前記バランスウェイトの重量よりも少ない請求項１乃至請求項５のいずれか１項に記載の可変容量型圧縮機。
【発明の詳細な説明】
【技術分野】
【０００１】
本発明は、回転軸に固定された回転支持体に対してカム体が連結機構を介して傾角可変に連結されており、カム体を収容する制御圧室の調圧によってカム体の傾角を変更して吐出容量を制御する可変容量型圧縮機に関する。
【背景技術】
【０００２】
特許文献１に開示の可変容量型圧縮機における連結機構の例では、斜板（カム体）にピンが設けられている。回転軸と一体に回転するロータ（回転支持体）には一対のロータ係合部が形成されており、各ロータ係合部には溝部が設けられている。別の例では、ロータにピンが設けられており、斜板に一対のアーム係合部が設けられている。
【０００３】
ピンの端部（ピン連結部）は、一対の溝部内をガイドされるようになっている。斜板は、回転軸の周面に沿ってスライド可能な球面ブッシュに傾動可能に支持されている。一対の溝部によるピン端部のガイドは、球面ブッシュを中心とした斜板の傾動を可能にする。
【０００４】
斜板にピンを設けた例では、ロータ係合部は、ピン端部の斜板側の周面を案内するガイド壁を有しており、ロータにピンを設けた例では、アーム係合部は、ピン端部のロータ側の周面を案内するガイド壁を有している。これらのガイド壁は、ピン端部を溝部内に保持するために設けられている。
【特許文献１】特開平１０−２７４１５４号公報
【発明の開示】
【発明が解決しようとする課題】
【０００５】
ロータ係合部あるいはアーム係合部は、ピン端部をガイドするガイド部であるが、このガイド部を軽量化できれば、圧縮機の軽量化が得られる。
本発明は、可変容量型圧縮機におけるカム体と回転支持体との間の連結機構を構成するガイド部の軽量化を図ることを目的とする。
【課題を解決するための手段】
【０００６】
本発明は、ピストンが回転軸と一体的に回転するカム体を介して前記回転軸の回転に連動されており、前記カム体は、前記回転軸に固定された回転支持体に対して連結機構を介して傾角可変に連結されており、前記連結機構は、前記カム体と前記回転支持体との一方を支持部として該支持部に支持されたピンと、前記カム体と前記回転支持体との他方をピンガイドとして該ピンガイドに設けられた第１ガイド部及び第２ガイド部とを備え、前記第１ガイド部は、前記カム体の傾角の変化に応じて前記ピンの吸入行程対応領域側の第１端部を案内し、前記第２ガイド部は、前記カム体の傾角の変化に応じて前記ピンの吐出行程対応領域側の第２端部を案内し、前記カム体を収容する制御圧室の調圧によって前記カム体の傾角が変更されて吐出容量が制御される可変容量型圧縮機を対象とし、請求項１の発明は、前記第２端部は、周面を有し、前記第２ガイド部は、前記第２端部の周面のうちでは、前記ピンガイド側の部位のみに接触可能な形状に形成されていることを特徴とする。
【０００７】
第２ガイド部には特許文献１における前記ガイド壁に相当するガイド壁がなく、この分の重量だけ第２ガイド部が軽くなる。
好適な例では、前記第１端部は、周面及び端面を有し、前記第１ガイド部は、前記第１端部の周面の前記支持部側の部位に接触可能な第１ガイド壁と、前記第１端部の周面の前記ピンガイド側の部位に接触可能な第２ガイド壁と、前記第１端部の端面に接触可能な第３ガイド壁とを備え、前記第２端部は、周面及び端面を有し、前記第２ガイド部は、前記第２端部の周面の前記ピンガイド側の部位に接触可能な第４ガイド壁と、前記第２端部の端面に接触可能な第５ガイド壁とを備えている。
【０００８】
第２ガイド部には第１ガイド部側の第３ガイド壁に相当するガイド壁がなく、この分の重量だけ第２ガイド部が軽くなる。第３ガイド壁及び第５ガイド壁は、ピンの軸方向への移動を規制する。
【０００９】
好適な例では、前記第５ガイド壁は、前記ピンの中心軸線に対して直交し、且つ前記第２端部の端面に接する接平面よりも、前記回転支持体の回転方向の前側にある。
このような構成では、支持部側において第５ガイド壁が第２端部の端面よりも第１端部側へ入り込むことはない。
【００１０】
好適な例では、前記第５ガイド壁の高さは、前記第２端部の直径以下である。
このような構成は、第３ガイド壁と第５ガイド壁との間にピンを確実に保持し、且つ第２ガイド部の軽量化を図る上で好適である。
【００１１】
好適な例では、前記第５ガイド壁の壁厚は、前記第１端部側の第３ガイド壁の壁厚よりも小さい。
第５ガイド壁の壁厚を小さくする構成は、第２ガイド部をさらに軽くする上で好適である。
【００１２】
好適な例では、前記回転支持体にはバランスウェイトが設けられており、前記バランスウェイトは、前記吸入行程対応領域と前記吸入行程対応領域との境界に関して左右非対称の形状であり、前記吐出行程対応領域側の前記バランスウェイトの重量は、前記吸入行程対応領域側の前記バランスウェイトの重量よりも少ない。
【００１３】
このような構成は、第２ガイド部の軽量化を図り、且つ回転支持体の良好な回転バランス性を保つ上で好適である。
【発明の効果】
【００１４】
本発明の可変容量型圧縮機は、カム体と回転支持体との間の連結機構を構成するガイド部を軽量化できるという優れた効果を奏する。
【発明を実施するための最良の形態】
【００１５】
以下、本発明を具体化した第１の実施形態を図１及び図２に基づいて説明する。
図１（ａ）に示すように、シリンダブロック１１の前端にはフロントハウジング１２が連結されている。シリンダブロック１１の後端にはリヤハウジング１３がバルブプレート１４、弁形成プレート１５を介して連結されている。シリンダブロック１１、フロントハウジング１２及びリヤハウジング１３は、可変容量型圧縮機１０の全体ハウジングを構成する。
【００１６】
制御圧室１２１を形成するフロントハウジング１２とシリンダブロック１１とには回転軸１６がラジアルベアリング１７，１８を介して回転可能に支持されている。制御圧室１２１から外部へ突出する回転軸１６は、外部駆動源である車両エンジンＥから駆動力を得る。
【００１７】
回転軸１６には回転支持体１９が止着されており、カム体としての斜板２０が回転軸１６の軸方向へスライド可能かつ傾動可能に支持されている。回転軸１６は、斜板２０の中心部に設けられた軸孔２０１に通されており、斜板２０は、軸孔２０１の周壁を介して回転軸１６の外周面をスライド可能である。
【００１８】
図２（ａ）に示すように、斜板２０の回転支持体１９に対する対向面側には支持アーム２１が一体形成されている。図２（ｂ）に示すように、支持アーム２１には支持孔２１１が回転軸１６と直交する方向へ延びるように形成されており、支持孔２１１にはピン２２が圧入して嵌合されている。ピン２２は、被把持部２２１にて斜板２０の支持アーム２１に支持されている。斜板２０及び支持アーム２１は、ピン２２を支持する支持部を構成する。
【００１９】
ピン２２の一端部〔図２（ｂ）において被把持部２２１よりも右側の端部〕には被ガイド部２５が一体形成されており、ピン２２の他端部〔図２（ｂ）において被把持部２２１よりも左側の端部〕には被ガイド部２６が一体形成されている。
【００２０】
図２（ｃ）に示すように、第１端部としての被ガイド部２５は、円柱周面２５１と、円柱周面２５１に連なる円錐面２５２と、円錐面２５２に連なる端面２５３とを有している。第２端部としての被ガイド部２６は、円柱周面２６１と、円柱周面２６１に連なる円錐面２６２と、円錐面２６２に連なる端面２６３とを有している。
【００２１】
図２（ａ）に示すように、回転支持体１９の斜板２０に対する対向面側にはガイドアーム２３，２４が一体形成されている。第１ガイド部としてのガイドアーム２３は、第１ガイド壁２７と第２ガイド壁２８と第３ガイド壁２９とを備えており、第２ガイド部としてのガイドアーム２４は、第４ガイド壁３０と第５ガイド壁３１とを備えている。
【００２２】
図２（ｂ）に示すように、第１ガイド壁２７は、斜板２０側の円柱周面２５１の部位と接触可能なガイド平面２７１を有する。第２ガイド壁２８は、斜板２０側とは反対側の円柱周面２５１の部位と接触可能なガイド平面２８１を有し、第３ガイド壁２９は、端面２５３と接触可能なガイド平面２９１を有する。ガイド平面２７１，２８１，２９１のガイド方向は、ピン２２と直交し、かつ回転軸１６に対して傾斜する方向である。第３ガイド壁２９は、ピン２２の軸方向への移動を規制する。
【００２３】
第４ガイド壁３０は、円柱周面２６１の斜板２０側とは反対側（回転支持体１９側）の部位と接触可能なガイド平面３０１を有し、第５ガイド壁３１は、端面２６３と接触可能なガイド平面３１１を有する。ガイドアーム２４は、被ガイド部２６の円柱周面２６１のうちでは、斜板２０側とは反対側（回転支持体１９側）の部位のみに接触可能な形状に形成されている。換言すると、円柱周面２６１に限っていえば、ガイドアーム２４は、円柱周面２６１の回転支持体１９側の部位のみに接触可能な形状に形成されている。ガイド平面３０１，３１１のガイド方向は、ピン２２と直交し、かつ回転軸１６に対して傾斜する方向である。第５ガイド壁３１は、ピン２２の軸方向への移動を規制する。
【００２４】
ガイドアーム２３は、被ガイド部２５を案内し、ガイドアーム２４は、被ガイド部２６を案内する。回転支持体１９、ガイドアーム２３，２４は、ピンガイドを構成する。ガイドアーム２４は、円柱周面２６１のうちでは、ピンガイド側の部位のみに接触可能である。
【００２５】
図１（ｂ）に示す第５ガイド壁３１の高さｈ（第４ガイド壁３０のガイド平面３０１からの最大高さ）は、被ガイド部２６の直径ｄ〔図２（ｂ）に図示〕以下である。又、被ガイド部２６の円柱周面２６１がガイド平面３０１に接した状態では、被ガイド部２６の端面２６３は、ピン２２の中心軸線２２２の方向に見て全てガイド平面３１１内にある。つまり、第５ガイド壁３１の高さｈは、被ガイド部２６の円柱周面２６１がガイド平面３０１に接した状態における端面２６３の最大高さ（第４ガイド壁３０のガイド平面３０１からの高さ）よりも高く設定されている。
【００２６】
図２（ａ）に示すＫは、ピン２２の中心軸線２２２に対して直交し、且つ被ガイド部２６の端面２６３側で被ガイド部２６に接する接平面を示す。第５ガイド壁３１は、接平面Ｋよりも回転支持体１９の回転方向〔図２（ａ）に矢印Ｑで示す方向〕の前側にある。
【００２７】
回転軸１６と一体的に回転する回転支持体１９の回転力は、ガイドアーム２３側の第３ガイド壁２９のガイド平面２９１と、ピン２２の被ガイド部２５側の端面２５３との係合を介して斜板２０に伝達され、斜板２０は、回転軸１６と一体的に回転可能である。
【００２８】
ガイドアーム２３，２４、ピン２２及び支持アーム２１は、斜板２０を傾角可変かつ回転軸１６から斜板２０へ回転トルク伝達可能に、回転支持体１９に斜板２０を連結する連結機構３９を構成する。
【００２９】
斜板２０の径中心部が回転支持体１９側へ移動すると、斜板２０の傾角が増大する。斜板２０の最大傾角は、回転支持体１９と、斜板２０との当接によって規制され、斜板２０の最小傾角は、回転軸１６に装着されたサークリップ３３〔図１（ａ）に図示〕と斜板２０との当接によって規制される。図１（ａ）に実線で示す斜板２０は、最大傾角状態にあり、鎖線で示す斜板２０は、最小傾角状態にある。斜板２０の最小傾角は、０°よりも大きくしてある。
【００３０】
図１（ａ）に示すように、シリンダブロック１１に貫設された複数のシリンダボア１１１内にはピストン３４が収容されている。斜板２０の回転運動は、斜板２０に係留されたシュー３５を介してピストン３４の前後往復運動に変換され、ピストン３４がシリンダボア１１１内を往復動する。ピストン３４は、回転軸１６と一体的に回転する斜板２０を介して回転軸１６の回転に連動されている。
【００３１】
リヤハウジング１３内には吸入室１３１及び吐出室１３２が区画形成されている。バルブプレート１４には吸入ポート１４１が形成されている。バルブプレート１４及び弁形成プレート１５には吐出ポート１４２が形成されている。弁形成プレート１５には吸入弁１５１が形成されており、バルブプレート１４に接合された弁形成プレート３６には吐出弁３６１が形成されている。吸入室１３１内の冷媒は、ピストン３４の吸入動作〔図１（ａ）において右側から左側への移動〕により吸入ポート１４１から吸入弁１５１を押し退けてシリンダボア１１１内へ流入する。シリンダボア１１１内へ流入したガス状の冷媒は、ピストン３４の吐出動作〔図１（ａ）において左側から右側への移動〕により吐出ポート１４２から吐出弁３６１を押し退けて吐出室１３２へ吐出される。吐出弁３６１は、リテーナ３７に当接して開度規制される。
【００３２】
吐出室１３２と吸入室１３１とは、図示しない外部冷媒回路によって接続されている。吐出室１３２から外部冷媒回路へ流出した冷媒は、吸入室１３１へ還流する。
図２（ａ）に示すように、回転軸１６の軸線１６１を含むようにピン２２と直交する仮想平面Ｈによって分けられた斜板２０の片側半分は、吸入行程対応領域Ｓであり、他方の片側半分は、吐出行程対応領域Ｄである。回転軸１６の軸方向に見て、吸入行程対応領域Ｓに対応するピストン３４は、吸入行程にあり、吐出行程対応領域Ｄに対応するピストン３４は、吐出行程にある。ピン２２の被ガイド部２５は、吸入行程対応領域Ｓ側にあり、ピン２２の被ガイド部２６は、吐出行程対応領域Ｄ側にある。
【００３３】
図３に示すように、回転支持体１９にはバランスウェイト３２が一体形成されている。バランスウェイト３２は、ガイドアーム２３，２４の存在による回転支持体１９の回転アンバランスを補正するためのものである。バランスウェイト３２は、吸入行程対応領域Ｓと吐出行程対応領域Ｄとの境界（仮想平面Ｈ）に関して左右非対称の形状である。バランスウェイト３２の吐出行程対応領域Ｄ側の部位の重量は、バランスウェイト３２の吸入行程対応領域Ｓ側の部位の重量よりも少ない。この重量差は、ガイドアーム２４がガイドアーム２３よりも第１ガイド壁２７の分だけ軽いことに応じて設定されている。
【００３４】
図１（ａ）に示すように、回転支持体１９とフロントハウジング１２との間にはスラストベアリング３８が介在されている。スラストベアリング３８は、シリンダボア１１１からピストン３４、シュー３５、斜板２０及び連結機構３９を介して回転支持体１９に作用する圧縮反力を受け止める。
【００３５】
吐出室１３２と制御圧室１２１とは、供給通路４０を介して接続されており、制御圧室１２１と吸入室１３１とは、排出通路４１を介して接続されている。吐出室１３２内の冷媒は、供給通路４０を介して制御圧室１２１へ供給される。制御圧室１２１内の冷媒は、排出通路４１を介して吸入室１３１へ排出される。
【００３６】
供給通路４０上には電磁式の容量制御弁４２が介在されている。吐出室１３２から供給通路４０を経由した制御圧室１２１への冷媒供給量は、容量制御弁４２の弁開度の増減に応じて増減する。制御圧室１２１内の冷媒は、排出通路４１を介して吸入室１３１へ流出しているため、吐出室１３２から供給通路４０を経由した制御圧室１２１への冷媒供給量の増減に応じて制御圧室１２１内の圧力が上下する。冷媒供給量が増大すると制御圧室１２１内の圧力が上がり、冷媒供給量が減少すると制御圧室１２１内の圧力が下がる。制御圧室１２１内のこのような調圧より、斜板２０の傾角が増減して吐出容量が増減する。
【００３７】
斜板２０の傾角の増減に伴い、被ガイド部２５がガイド平面２７１，２８１，２９１に沿って移動すると共に、被ガイド部２６がガイド平面３０１，３１１に沿って移動する。吐出行程対応領域Ｄ側にあるシリンダボア１１１からの圧縮反力の大半は、ピン２２の被ガイド部２６と、ガイドアーム２４のガイド平面３０１との係合を介して回転支持体１９に作用する。
【００３８】
第１の実施形態では以下の効果が得られる。
（１）被ガイド部２６は、吐出行程対応領域Ｄ側にあるため、被ガイド部２６は、圧縮反力によって第４ガイド壁３０に押しつけられる。そのため、被ガイド部２６が第４ガイド壁３０から離れて行かないようにガイドアーム２４によって被ガイド部２６を規制する必要はない。本発明は、この不必要性に応じて、ガイドアーム２３側の第１ガイド壁２７に相当するガイド壁を無くそうとするものである。ガイドアーム２３側の第１ガイド壁２７に相当するガイド壁がガイドアーム２４にはないため、ガイドアーム２３とガイドアーム２４とを合わせた重量は、第１ガイド壁２７に相当するガイド壁を備えたガイドアームと、ガイドアーム２３とを合わせた構成（特許文献１に開示のガイド部に相当）よりも軽量になる。
【００３９】
（２）第５ガイド壁３１は、接平面Ｋよりも回転支持体１９の回転方向〔図２（ａ）に矢印Ｑで示す方向〕の前側にある。このような構成は、ガイドアーム２３側の第１ガイド壁２７に相当するガイド壁を全て無くしたことになり、ガイドアーム２４がガイドアーム２３に対してより軽量になる。
【００４０】
（３）第５ガイド壁３１の高さｈは、被ガイド部２６の直径ｄ以下、且つ被ガイド部２６の円柱周面２６１がガイド平面３０１に接した状態における端面２６３の最大高さよりも高く設定されている。このような構成は、第３ガイド壁２９と第５ガイド壁３１との間にピン２２を確実に保持し、且つガイドアーム２４の軽量化を図る上で好適である。
【００４１】
（４）ガイドアーム２４側に第１ガイド壁２７に相当するガイド壁がないため、ガイドアーム２４は、ガイドアーム２３よりも軽量である。ガイドアーム２４とガイドアーム２３とに重量差がない場合には、バランスウェイトは、左右対称の形状に設定されるが、ガイドアーム２４をガイドアーム２３よりも軽量にしたため、バランスウェイト３２は、左右非対称にして軽量化されている。バランスウェイト３２の軽量化は、可変容量型圧縮機１０の軽量化に寄与する。
【００４２】
本発明では以下のような実施形態も可能である。これらの実施形態では、第１の実施形態と同じ構成部には同じ符合が用いてある。
○図４に示す第２の実施形態では、第５ガイド壁３１の壁厚ｔは、第３ガイド壁２９の壁厚Ｔよりも小さくしてある。第３ガイド壁２９には大きな回転トルクが掛かるが、第５ガイド壁３１には前記のような大きな回転トルクが掛かることはないため、第５ガイド壁３１の壁厚ｔを第３ガイド壁２９の壁厚Ｔよりも小さくすることができる。第５ガイド壁３１の壁厚を第３ガイド壁２９の壁厚よりも小さくした構成は、ガイドアーム２４の軽量化に一層有効である。
【００４３】
○図５に示す第３の実施形態では、ピン２２Ａの被ガイド部２６側の周面にはフランジ４３が一体形成されている。ガイドアーム２４Ａは、第６ガイド壁４４のみを備えている。フランジ４３の端面４３１は、第６ガイド壁４４の側面のガイド面４４１に接触可能であり、被ガイド部２６の円柱周面２６１は、第６ガイド壁４４のガイド平面４４２に接触可能である。フランジ４３の端面４３１とガイド面４４１とは、第１の実施形態における被ガイド部２６の端面２６３と第５ガイド壁３１のガイド平面３１１との関係と同様のガイド関係にある。
【００４４】
第３の実施形態では、第１の実施形態に比べて、フランジ４３が増えるが、第１の実施形態における第５ガイド壁３１が無くなる。従って、第３の実施形態においても、第１の実施形態と同様の効果が得られる。
【００４５】
○図６に示す第４の実施形態では、斜板２０にガイドアーム２３Ｂ，２４Ｂが一体形成されており、回転支持体１９Ｂに支持アーム２１Ｂが一体形成されていると共に、支持アーム２１Ｂにピン２２が支持されている。ガイドアーム２３Ｂには第１ガイド壁２７、第２ガイド壁２８及び第３ガイド壁２９が形成されており、ガイドアーム２４Ｂには第４ガイド壁３０及び第５ガイド壁３１が形成されている。
【００４６】
回転支持体１９Ｂ及び支持アーム２１Ｂは、ピン２２を支持する支持部を構成し、斜板２０、ガイドアーム２３Ｂ，２４Ｂは、ピンガイドを構成する。ガイドアーム２３Ｂ，２４Ｂ、ピン２２及び支持アーム２１Ｂは、斜板２０を傾角可変かつ回転軸１６から斜板２０へ回転トルク伝達可能に、回転支持体１９Ｂに斜板２０を連結する連結機構３９Ｂを構成する。
【００４７】
第４の実施形態においても、第１の実施形態と同様の効果が得られる。
○ピンの両端部が球形状になっているピンを用いた連結機構に本発明を適用してもよい。この場合、第５ガイド壁３１の高さは、球形状の端部の球径の１／２よりも大きくしておき、ピンの中心軸線が第５ガイド壁３１のガイド平面３１１の交差するようにするのが望ましい。
【００４８】
前記した実施形態から把握できる技術的思想について以下に記載する。
〔１〕前記ピンの第２端部（被ガイド部２６）側にはフランジが形成されており、前記第２ガイド部は、前記第２端部の前記支持部側とは反対側（ピンガイド側）の周面を案内する第６ガイド壁を有し、前記フランジは、前記第６ガイド壁に接して案内される請求項１に記載の可変容量型圧縮機。
【図面の簡単な説明】
【００４９】
【図１】第１の実施形態を示し、（ａ）は、圧縮機全体の側断面図。（ｂ）は、部分側面図。
【図２】（ａ）は、部分平面図。（ｂ）は、部分平断面図。（ｃ）は、ピンの正面図。
【図３】図１（ａ）のＡ−Ａ線断面図。
【図４】第２の実施形態を示す部分平断面図。
【図５】第３の実施形態を示す部分平断面図。
【図６】第４の実施形態を示す部分平断面図。
【符号の説明】
【００５０】
１０…可変容量型圧縮機。１２１…制御圧室。１６…回転軸。１９…ピンガイドを構成する回転支持体。１９Ｂ…支持部を構成する回転支持体。２０…支持部又はピンガイドを構成する斜板（カム体）。２１，２１Ｂ…支持部を構成する支持アーム。２２，２２Ａ…ピン。２２２…中心軸線。２３，２３Ｂ…第１ガイド部としてのガイドアーム。２４，２４Ｂ…第２ガイド部としてのガイドアーム。２５…第１端部としての被ガイド部。２５１，２６１…円柱周面。２５３，２６３…端面。２６…第２端部としての被ガイド部。２７…第１ガイド壁。２８…第２ガイド壁。２９…第３ガイド壁。３０…第４ガイド壁。３１…第５ガイド壁。３２…バランスウェイト。３４…ピストン。３９，３９Ｂ…連結機構。Ｓ…吸入行程対応領域。Ｄ…吐出行程対応領域。Ｈ…境界としての仮想平面。Ｋ…接平面。ｈ…高さ。ｄ…直径。ｔ，Ｔ…壁厚。
【図１】
2007297920.tif 000003
【図２】
2007297920.tif 000004
【図３】
2007297920.tif 000005
【図４】
2007297920.tif 000006
【図５】
2007297920.tif 000007
【図６】
2007297920.tif 000008